(57)【要約】【課題】本発明は、無線通信システムにおいてＰＵＣＣＨフォーマット３を用いて制御情報を伝送する方法及びそのための装置に関する。【解決手段】2013534098.tif 000110【選択図】図３２
2013534098.tif 000002
【特許請求の範囲】
【請求項１】
【表１】
2013534098.tif 000104
【請求項２】
【表２】
2013534098.tif 000105
【請求項３】
ＰＣｅｌｌ上のＰＤＳＣＨ信号のためのＰＤＣＣＨのＴＰＣフィールドの値は、前記ＰＵＣＣＨフォーマット３のための伝送電力の制御に用いられる、請求項１に記載の方法。
【請求項４】
前記一つ以上のＰＤＳＣＨ信号がＳＣｅｌｌ上の複数のＰＤＳＣＨ信号を含む場合に、前記ＳＣｅｌｌ上の複数のＰＤＳＣＨに対応する複数のＰＤＣＣＨは、前記ＴＰＣフィールドの値がいずれも同一に設定される、請求項１に記載の方法。
【請求項５】
前記制御情報は、ダウンリンク伝送に対するＨＡＲＱ−ＡＣＫを含む、請求項１に記載の方法。
【請求項６】
アンテナポートp0のための複数のＰＵＣＣＨリソースを指示する割当情報を受信するステップをさらに含み、
アンテナポートp1のための複数のＰＵＣＣＨリソースを指示する割当情報は、多重アンテナポート伝送が可能であるか、または、前記多重アンテナポート伝送モードが設定された場合にのみさらに受信される、請求項１に記載の方法。
【請求項７】
【表３】
2013534098.tif 000106
【請求項８】
【表４】
2013534098.tif 000107
【請求項９】
【表５】
2013534098.tif 000108
【請求項１０】
ＰＣｅｌｌ上のＰＤＳＣＨ信号のためのＰＤＣＣＨのＴＰＣフィールドの値は、前記ＰＵＣＣＨフォーマット３のための伝送電力の制御に用いられる、請求項８に記載の通信装置。
【請求項１１】
前記一つ以上のＰＤＳＣＨ信号がＳＣｅｌｌ上の複数のＰＤＳＣＨ信号を含む場合に、前記ＳＣｅｌｌ上の複数のＰＤＳＣＨに対応する複数のＰＤＣＣＨは、前記ＴＰＣフィールドの値がいずれも同一に設定される、請求項８に記載の通信装置。
【請求項１２】
前記制御情報は、ダウンリンク伝送に対するＨＡＲＱ−ＡＣＫを含む、請求項８に記載の通信装置。
【請求項１３】
前記プロセッサは、アンテナポートp0のための複数のＰＵＣＣＨリソースを指示する割当情報を受信するように構成され、
アンテナポートp1のための複数のＰＵＣＣＨリソースを指示する割当情報は、多重アンテナポート伝送が可能であるか、または、前記多重アンテナポート伝送モードが設定された場合にのみさらに受信される、請求項８に記載の通信装置。
【請求項１４】
【表６】
2013534098.tif 000109
【発明の詳細な説明】
【技術分野】
【０００１】
本発明は、無線通信システムに係り、特に、制御情報を伝送する方法及び装置に関する。無線通信システムは、キャリアアグリゲーション（Ｃａｒｒｉｅｒ  Ａｇｇｒｅｇａｔｉｏｎ：ＣＡ）を支援することができる。
【背景技術】
【０００２】
無線通信システムが音声やデータなどのような種々の通信サービスを提供するために広範囲に展開されている。一般に、無線通信システムは、可用システムリソース（帯域幅、伝送パワーなど）を共有してマルチユーザーとの通信を支援できる多重接続（ｍｕｌｔｉｐｌｅ  ａｃｃｅｓｓ）システムである。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線通信システムにおいて制御情報を効率よく伝送する方法及びそのための装置を提供することにある。本発明の他の目的は、制御情報を効率よく伝送するためのチャネルフォーマット、信号処理、及びそのための装置を提供することにある。本発明のさらに他の目的は、制御情報を伝送するためのリソースを効率よく割り当てる方法及びそのための装置を提供することにある。
【０００４】
本発明で達成しようとする技術的課題は、以上に言及している技術的課題に制限されるものではなく、言及していない他の技術的課題は、以下の記載から、本発明の属する技術の分野における通常の知識を有する者には明らかになるであろう。
【課題を解決するための手段】
【０００５】
【表１】
2013534098.tif 000003
【０００６】
【表２】
2013534098.tif 000004
【０００７】
【表３】
2013534098.tif 000005
【０００８】
好適には、ＰＣｅｌｌ（Ｐｒｉｍａｒｙ Ｃｅｌｌ）上のＰＤＳＣＨ信号のためのＰＤＣＣＨのＴＰＣフィールドの値は、前記ＰＵＣＣＨフォーマット３のための伝送電力の制御に用いられる。
【０００９】
好適には、前記一つ以上のＰＤＳＣＨ信号がＳＣｅｌｌ上の複数のＰＤＳＣＨ信号を含む場合に、前記ＳＣｅｌｌ上の複数のＰＤＳＣＨに対応する複数のＰＤＣＣＨは、ＴＰＣフィールドの値がいずれも同一に設定される。
【００１０】
好適には、前記制御情報は、ダウンリンク伝送に対するＨＡＲＱ−ＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ）を含む。
【００１１】
好適には、前記態様は、アンテナポートp0のための複数のＰＵＣＣＨリソースを指示する割当情報を受信することをさらに含み、アンテナポートp1のための複数のＰＵＣＣＨリソースを指示する割当情報は、多重アンテナポート伝送が可能であるか、または、前記多重アンテナポート伝送モードが設定された場合にのみさらに受信される。前記上位層は、ＲＲＣ（Ｒａｄｉｏ  Ｒｅｓｏｕｒｃｅ  Ｃｏｎｔｒｏｌ）層を含む。
【００１２】
【表４】
2013534098.tif 000006
【発明の効果】
【００１３】
本発明によれば、無線通信システムにおいて制御情報を効率よく伝送することができる。また、制御情報を効率よく伝送するためのチャネルフォーマット、信号処理方法を提供することができる。また、制御情報伝送のためのリソースを効率よく割り当てることができる。
【００１４】
本発明で得られる効果は、以上で言及した効果に制限されず、言及していない他の効果は、以下の記載から、本発明の属する技術の分野における通常の知識を有する者には明確に理解されるであろう。
【００１５】
本発明に関する理解を助けるために詳細な説明の一部として含まれる添付図面は、本発明に係る実施例を提供し、詳細な説明と共に本発明の技術的思想を説明する。
【図面の簡単な説明】
【００１６】
【図１】無線通信システムの一例である３ＧＰＰ ＬＴＥシステムに用いられる物理チャネル及びこれらのチャネルを用いた一般的な信号伝送方法を例示する図である。
【図２】無線フレームの構造を例示する図である。
【図３Ａ】アップリンク信号処理手順を例示する図である。
【図３Ｂ】ダウンリンク信号処理手順を例示する図である。
【図４】ＳＣ−ＦＤＭＡ方式とＯＦＤＭＡ方式を例示する図である。
【図５】単一搬送波特性を満たすための周波数ドメイン上の信号マッピング方式を例示する図である。
【図６】クラスタＳＣ−ＦＤＭＡにおいてＤＦＴプロセス出力サンプルが単一キャリアにマッピングされる信号処理手順を例示する図である。
【図７】クラスタＳＣ−ＦＤＭＡにおいてＤＦＴプロセス出力サンプルがマルチキャリア（ｍｕｌｔｉ−ｃａｒｒｉｅｒ）にマッピングされる信号処理手順を例示する図である。
【図８】クラスタＳＣ−ＦＤＭＡにおいてＤＦＴプロセス出力サンプルがマルチキャリアにマッピングされる信号処理手順を例示する図である。
【図９】セグメントＳＣ−ＦＤＭＡにおける信号処理手順を例示する図である。
【図１０】アップリンクサブフレームの構造を例示する図である。
【図１１】アップリンクで参照信号（Ｒｅｆｅｒｅｎｃｅ  Ｓｉｇｎａｌ：ＲＳ）を伝送するための信号処理手順を例示する図である。
【図１２Ａ】ＰＵＳＣＨのためのＤＭＲＳ（ｄｅｍｏｄｕｌａｔｉｏｎ  ｒｅｆｅｒｅｎｃｅ  ｓｉｇｎａｌ）構造を例示する図である。
【図１２Ｂ】ＰＵＳＣＨのためのＤＭＲＳ構造を例示する図である。
【図１３】ＰＵＣＣＨフォーマット１ａ及び１ｂのスロットレベル構造を例示する図である。
【図１４】ＰＵＣＣＨフォーマット１ａ及び１ｂのスロットレベル構造を例示する図である。
【図１５】ＰＵＣＣＨフォーマット２／２ａ／２ｂのスロットレベル構造を例示する図である。
【図１６】ＰＵＣＣＨフォーマット２／２ａ／２ｂのスロットレベル構造を例示する図である。
【図１７】ＰＵＣＣＨフォーマット１ａ及び１ｂに対するＡＣＫ／ＮＡＣＫチャネル化を例示する図である。
【図１８】同一のＰＲＢ内でＰＵＣＣＨフォーマット１／１ａ／１ｂ及びフォーマット２／２ａ／２ｂの混合構造に対するチャネル化を例示する図である。
【図１９】ＰＵＣＣＨ伝送のためのＰＲＢ割当を例示する図である。
【図２０】基地局でダウンリンクコンポーネントキャリアを管理する概念を例示する図である。
【図２１】端末でアップリンクコンポーネントキャリアを管理する概念を例示する図である。
【図２２】基地局で一つのＭＡＣがマルチキャリアを管理する概念を例示する図である。
【図２３】端末で一つのＭＡＣがマルチキャリアを管理する概念を例示する図である。
【図２４】基地局で一つのＭＡＣがマルチキャリアを管理する概念を例示する図である。
【図２５】端末で複数のＭＡＣがマルチキャリアを管理する概念を例示する図である。
【図２６】基地局で複数のＭＡＣがマルチキャリアを管理する概念を例示する図である。
【図２７】端末の受信観点で、一つ以上のＭＡＣがマルチキャリアを管理する概念を例示する図である。
【図２８】複数のＤＬ ＣＣと１個のＵＬ ＣＣとがリンクされた非対称キャリアアグリゲーションを例示する図である。
【図２９Ａ】ＰＵＣＣＨフォーマット３の構造及び信号処理手順を例示する図である。
【図２９Ｂ】ＰＵＣＣＨフォーマット３の構造及び信号処理手順を例示する図である。
【図２９Ｃ】ＰＵＣＣＨフォーマット３の構造及び信号処理手順を例示する図である。
【図２９Ｄ】ＰＵＣＣＨフォーマット３の構造及び信号処理手順を例示する図である。
【図２９Ｅ】ＰＵＣＣＨフォーマット３の構造及び信号処理手順を例示する図である。
【図２９Ｆ】ＰＵＣＣＨフォーマット３の構造及び信号処理手順を例示する図である。
【図３０】ＲＳ多重化容量の増加されたＰＵＣＣＨフォーマット３の構造と信号処理過程を例示する図である。
【図３１】ＲＳ多重化容量の増加されたＰＵＣＣＨフォーマット３の構造と信号処理過程を例示する図である。
【図３２】ＳＯＲＴＤのための信号処理ブロック／過程を示す図である。
【図３３】ＳＯＲＴＤ動作を概括的に説明するための図である。
【図３４】本発明に適用されうる基地局及び端末を示す図である。
【発明を実施するための形態】
【００１７】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術とすることができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ） ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ＬＴＥ−Ａ（Ａｄｖａｎｃｅｄ）は、３ＧＰＰ ＬＴＥの進展したバージョンである。説明を明確にするために、３ＧＰＰ ＬＴＥ／ＬＴＥ−Ａを中心に説明するが、これに本発明の技術的思想が制限されることはない。
【００１８】
無線通信システムにおいて、端末は基地局からダウンリンク（Ｄｏｗｎｌｉｎｋ：ＤＬ）を通じて情報を受信し、端末は基地局にアップリンク（Ｕｐｌｉｎｋ：ＵＬ）を通じて情報を伝送する。基地局と端末が送受信する情報は、データ及び様々な制御情報を含み、これらが送受信する情報の種類／用途に応じて様々な物理チャネルが存在する。
【００１９】
図１は、３ＧＰＰ ＬＴＥシステムに用いられる物理チャネル及びこれらのチャネルを用いた一般的な信号伝送方法を説明するための図である。
【００２０】
電源が消えた状態で再び電源が入ったり、セルに新しく進入したりした端末は、段階Ｓ１０１において、基地局と同期を合わせる等の初期セル探索（Ｉｎｉｔｉａｌ  ｃｅｌｌ  ｓｅａｒｃｈ）作業を行う。このために、端末は基地局からプライマリ同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及びセカンダリ同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を合わせ、セルＩＤなどの情報を獲得する。その後、端末は、基地局から物理放送チャネル（Ｐｈｙｓｉｃａｌ  Ｂｒｏａｄｃａｓｔ  Ｃｈａｎｎｅｌ）を受信してセル内の放送情報を獲得することができる。一方、端末は、初期セル探索段階においてダウンリンク参照信号（Ｄｏｗｎｌｉｎｋ  Ｒｅｆｅｒｅｎｃｅ  Ｓｉｇｎａｌ：ＤＬ ＲＳ）を受信して、ダウンリンクチャネル状態を確認することができる。
【００２１】
初期セル探索を終えた端末は、段階Ｓ１０２において、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び該物理ダウンリンク制御チャネル情報に対応する物理ダウンリンク共有チャネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を獲得することができる。
【００２２】
その後、端末は基地局への接続を確立するために、段階Ｓ１０３乃至段階Ｓ１０６のようなランダムアクセス手順（Ｒａｎｄｏｍ  Ａｃｃｅｓｓ  Ｐｒｏｃｅｄｕｒｅ）を行うことができる。そのために、端末は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を通じてプリアンブルを伝送し（Ｓ１０３）、物理ダウンリンク制御チャネル及びこれに対応する物理ダウンリンク共有チャネルを通じて、プリアンブルに対する応答メッセージを受信することができる（Ｓ１０４）。競合ベースランダムアクセスの場合は、追加の物理ランダムアクセスチャネルの伝送（Ｓ１０５）、及び物理ダウンリンク制御チャネル及びこれに対応する物理ダウンリンク共有チャネルの受信（Ｓ１０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００２３】
以上の手順を行った端末は、以降、一般的なアップリンク／ダウンリンク信号伝送手順として、物理ダウンリンク制御チャネル／物理ダウンリンク共有チャネルの受信（Ｓ１０７）及び物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）／物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の伝送（Ｓ１０８）を行うことができる。端末が基地局に伝送する制御情報を総称してアップリンク制御情報（Ｕｐｌｉｎｋ  Ｃｏｎｔｒｏｌ  Ｉｎｆｏｒｍａｔｉｏｎ：ＵＣＩ）とする。ＵＣＩは、ＨＡＲＱ ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。本明細書で、ＨＡＲＱ ＡＣＫ／ＮＡＣＫは、簡単にＨＡＲＱ−ＡＣＫあるいはＡＣＫ／ＮＡＣＫ（Ａ／Ｎ）と呼ばれる。ＨＡＲＱ−ＡＣＫは、ポジティブＡＣＫ（簡単に、ＡＣＫ）、ネガティブＡＣＫ（ＮＡＣＫ）、ＤＴＸ、及びＮＡＣＫ／ＤＴＸのうち少なくとも一つを含む。ＵＣＩは、主に、ＰＵＣＣＨを通じて伝送されるが、制御情報とトラフィックデータが同時に伝送されるべき場合は、ＰＵＳＣＨを通じて伝送されてもよい。また、ネットワークの要請／指示によってＰＵＳＣＨを通じてＵＣＩを非周期的に伝送することもある。
【００２４】
図２は、無線フレームの構造を例示する図である。セルラーＯＦＤＭ無線パケット通信システムにおいて、アップリンク／ダウンリンクデータパケットの伝送は、サブフレーム（ｓｕｂｆｒａｍｅ）単位に行われ、１サブフレームは、多数のＯＦＤＭシンボルを含む一定時間区間と定義される。３ＧＰＰ ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２の無線フレーム構造を支援する。
【００２５】
図２の（ａ）には、タイプ１無線フレームの構造を例示する。ダウンリンク無線フレームは、１０個のサブフレームで構成され、１サブフレームは、時間領域（ｔｉｍｅ  ｄｏｍａｉｎ）において２個のスロット（ｓｌｏｔ）で構成される。１サブフレームが伝送されるのにかかる時間をＴＴＩ（ｔｒａｎｓｍｉｓｓｉｏｎ  ｔｉｍｅ  ｉｎｔｅｒｖａｌ）という。例えば、１サブフレームの長さは１ｍｓであり、１スロットの長さは０．５ｍｓでよい。１スロットは、時間領域で複数のＯＦＤＭシンボルを含み、周波数領域で複数のリソースブロック（Ｒｅｓｏｕｒｃｅ  Ｂｌｏｃｋ；ＲＢ）を含む。３ＧＰＰ ＬＴＥシステムでは、ダウンリンクでＯＦＤＭＡを用いるので、ＯＦＤＭシンボルが１シンボル区間を表す。ＯＦＤＭシンボルは、ＳＣ−ＦＤＭＡシンボルまたはシンボル区間と呼ぶこともできる。リソース割当単位としてのリソースブロック（ＲＢ）は、１スロットにおいて複数個の連続した副搬送波（ｓｕｂｃａｒｒｉｅｒ）を含むことができる。
【００２６】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには、拡張されたＣＰ（ｅｘｔｅｎｄｅｄ  ＣＰ）と標準ＣＰ（ｎｏｒｍａｌ  ＣＰ）とがある。例えば、ＯＦＤＭシンボルが標準ＣＰにより構成された場合に、１スロットに含まれるＯＦＤＭシンボルの数は７個でよい。ＯＦＤＭシンボルが、拡張されたＣＰにより構成された場合に、１ ＯＦＤＭシンボルの長さが増加するから、１スロットに含まれるＯＦＤＭシンボルの数は、標準ＣＰの場合に比べて少なくなる。拡張されたＣＰの場合に、例えば、１スロットに含まれるＯＦＤＭシンボルの数は６個でよい。端末が速い速度で移動する等の場合のように、チャネル状態が安定していない場合に、シンボル間干渉をより低減するために、拡張されたＣＰを用いることができる。
【００２７】
標準ＣＰが用いられる場合に、１スロットは７個のＯＦＤＭシンボルを含むので、１サブフレームは１４個のＯＦＤＭシンボルを含む。この場合、各サブフレームの先頭の最大３個のＯＦＤＭシンボルをＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルをＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００２８】
図２の（ｂ）には、タイプ２無線フレームの構造を例示する。タイプ２無線フレームは、２個のハーフフレーム（ｈａｌｆ  ｆｒａｍｅ）で構成され、各ハーフフレームは、５個のサブフレーム、及びＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）、ＵｐＰＴＳ（Ｕｐｌｉｎｋ  Ｐｉｌｏｔ  Ｔｉｍｅ  Ｓｌｏｔ）で構成され、１サブフレームは２個のスロットで構成される。ＤｗＰＴＳは、端末での初期セル探索、同期化またはチャネル推定に用いられる。ＵｐＰＴＳは、基地局でのチャネル推定と端末のアップリンク伝送同期を合わせるのに用いられる。保護区間は、アップリンクとダウンリンクとの間にダウンリンク信号の多重経路遅延によりアップリンクで生じる干渉を除去するための区間である。
【００２９】
上記の無線フレームの構造は例示に過ぎず、無線フレームに含まれるサブフレームの数、サブフレームに含まれるスロットの数、スロットに含まれるシンボルの数は様々に変更することができる。
【００３０】
図３Ａは、端末がアップリンク信号を伝送するための信号処理手順を説明するための図である。
【００３１】
アップリンク信号を伝送するために、端末は、スクランブリング（ｓｃｒａｍｂｌｉｎｇ）モジュール２１０で端末特定スクランブル信号を用いて伝送信号をスクランブルすることができる。スクランブルされた信号は変調マッパー２２０に入力され、伝送信号の種類及び／またはチャネル状態に基づいてＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）または１６ＱＡＭ／６４ＱＡＭ（Ｑｕａｄｒａｔｕｒｅ  Ａｍｐｌｉｔｕｄｅ  Ｍｏｄｕｌａｔｉｏｎ）方式を用いて複素シンボル（ｃｏｍｐｌｅｘ  ｓｙｍｂｏｌ）に変調される。変調された複素シンボルを、変換プリコーダ２３０で処理した後に、リソース要素マッパー２４０に入力し、リソース要素マッパー２４０は、複素シンボルを時間−周波数リソース要素にマッピングすることができる。このように処理した信号は、ＳＣ−ＦＤＭＡ信号生成器２５０を経てアンテナから基地局に伝送することができる。
【００３２】
図３Ｂは、基地局がダウンリンク信号を伝送するための信号処理手順を説明するための図である。
【００３３】
３ＧＰＰ ＬＴＥシステムにおいて、基地局は、ダウンリンクで一つ以上のコードワード（ｃｏｄｅｗｏｒｄ）を伝送することができる。コードワードはそれぞれ、図３Ａのアップリンクと同様、スクランブルモジュール３０１及び変調マッパー３０２を通じて複素シンボルとすることができる。その後、複素シンボルを、レイヤーマッパー３０３により複数のレイヤー（Ｌａｙｅｒ）にマッピングし、プリコーディングモジュール３０４で各レイヤーをプリコーディング行列と掛けて、各伝送アンテナに割り当てることができる。このように処理した各アンテナ別伝送信号のそれぞれを、リソース要素マッパー３０５で時間−周波数リソース要素にマッピングし、以降、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）信号生成器３０６を経て各アンテナから伝送することができる。
【００３４】
無線通信システムにおいて端末がアップリンクで信号を伝送する場合は、基地局がダウンリンクで信号を伝送する場合に比べて、ＰＡＰＲ（Ｐｅａｋ−ｔｏ−Ａｖｅｒａｇｅ  Ｒａｔｉｏ）が問題となる。そのため、図３Ａ及び図３Ｂで説明したように、アップリンク信号伝送には、ダウンリンク信号伝送に用いられるＯＦＤＭＡ方式ではなく、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式が用いられている。
【００３５】
図４は、ＳＣ−ＦＤＭＡ方式とＯＦＤＭＡ方式を説明するための図である。３ＧＰＰシステムは、ダウンリンクではＯＦＤＭＡを採用し、アップリンクではＳＣ−ＦＤＭＡを採用する
【００３６】
図４を参照すると、アップリンク信号伝送のための端末及びダウンリンク信号伝送のための基地局は、直列−並列変換器（Ｓｅｒｉａｌ−ｔｏ−Ｐａｒａｌｌｅｌ  Ｃｏｎｖｅｒｔｅｒ）４０１、副搬送波マッパー４０３、Ｍ−ポイントＩＤＦＴモジュール４０４、並列−直列変換器（Ｐａｒａｌｌｅｌ−ｔｏ−Ｓｅｒｉａｌ  Ｃｏｎｖｅｒｔｅｒ）４０５及びＣＰ（Ｃｙｃｌｉｃ  Ｐｒｅｆｉｘ）付加モジュール４０６を備えている点では同一である。ただし、ＳＣ−ＦＤＭＡ方式で信号を伝送するための端末は、Ｎ−ポイントＤＦＴモジュール４０２をさらに備える。Ｎ−ポイントＤＦＴモジュール４０２は、Ｍ−ポイントＩＤＦＴモジュール４０４のＩＤＦＴ処理影響を一定部分打ち消すことによって、伝送信号が単一搬送波特性（ｓｉｎｇｌｅ  ｃａｒｒｉｅｒ  ｐｒｏｐｅｒｔｙ）を持つようにする。
【００３７】
図５は、周波数ドメインで単一搬送波特性を満たすための周波数ドメイン上の信号マッピング方式を説明する図である。図５の（ａ）は、ローカル型マッピング（ｌｏｃａｌｉｚｅｄ  ｍａｐｐｉｎｇ）方式を示し、図５の（ｂ）は、分散型マッピング（ｄｉｓｔｒｉｂｕｔｅｄ  ｍａｐｐｉｎｇ）方式を示す。
【００３８】
ＳＣ−ＦＤＭＡの修正された形態であるクラスタ（ｃｌｕｓｔｅｒｅｄ）ＳＣ−ＦＤＭＡについて説明する。クラスタＳＣ−ＦＤＭＡは、副搬送波マッピング過程でＤＦＴプロセス出力サンプルを副グループ（ｓｕｂ−ｇｒｏｕｐ）に分け、これらを周波数ドメイン（あるいは副搬送波ドメイン）に不連続的にマッピングする。
【００３９】
図６は、クラスタＳＣ−ＦＤＭＡにおいてＤＦＴプロセス出力サンプルが単一キャリアにマッピングされる信号処理手順を示す図である。図７及び図８は、クラスタＳＣ−ＦＤＭＡにおいてＤＦＴプロセス出力サンプルがマルチキャリア（ｍｕｌｔｉ−ｃａｒｒｉｅｒ）にマッピングされる信号処理手順を示す図である。図６は、イントラキャリア（ｉｎｔｒａ−ｃａｒｒｉｅｒ）クラスタＳＣ−ＦＤＭＡを適用する例であり、図７及び図８は、インターキャリア（ｉｎｔｅｒ−ｃａｒｒｉｅｒ）クラスタＳＣ−ＦＤＭＡを適用する例に該当する。図７は、周波数ドメインで連続的（ｃｏｎｔｉｇｕｏｕｓ）にコンポーネントキャリア（ｃｏｍｐｏｎｅｎｔ  ｃａｒｒｉｅｒ）が割り当てられた状況において、隣接したコンポーネントキャリア間の副搬送波の間隔（ｓｐａｃｉｎｇ）が整列された場合に、単一のＩＦＦＴブロックを通じて信号を生成する例を示す。図８は、周波数ドメインで非連続的（ｎｏｎ−ｃｏｎｔｉｇｕｏｕｓ）にコンポーネントキャリアが割り当てられた状況において複数のＩＦＦＴブロックを通じて信号を生成する場合を示す。
【００４０】
図９は、セグメント（ｓｅｇｍｅｎｔｅｄ）ＳＣ−ＦＤＭＡの信号処理手順を示す図である。
【００４１】
セグメントＳＣ−ＦＤＭＡは、任意個数のＤＦＴと同じ個数のＩＦＦＴが適用されてＤＦＴとＩＦＦＴとの関係構成が一対一の関係を有すことから、単純に既存ＳＣ−ＦＤＭＡのＤＦＴ拡散とＩＦＦＴの周波数副搬送波マッピング構成を拡張したもので、ＮｘＳＣ−ＦＤＭＡまたはＮｘＤＦＴ−ｓ−ＯＦＤＭＡとも表現される。これらを包括して本明細書ではセグメントＳＣ−ＦＤＭＡと呼ぶ。図９を参照すると、セグメントＳＣ−ＦＤＭＡは、単一搬送波特性条件を緩和するために、全体時間ドメイン変調シンボルを、Ｎ（Ｎは、１より大きい整数）個のグループにし、グループ単位にＤＦＴプロセスを行う。
【００４２】
図１０は、アップリンクサブフレームの構造を示す図である。
【００４３】
図１０を参照すると、アップリンクサブフレームは、複数（例、２個）のスロットを含む。スロットは、ＣＰ（Ｃｙｃｌｉｃ  Ｐｒｅｆｉｘ）の長さによってそれぞれ異なる数のＳＣ−ＦＤＭＡシンボルを有することができる。一例として、一般（ｎｏｒｍａｌ）ＣＰの場合は、スロットは７個のＳＣ−ＦＤＭＡシンボルを有することができる。アップリンクサブフレームは、データ領域と制御領域とに区別される。データ領域は、ＰＵＳＣＨを含み、音声などのデータ信号を伝送するのに用いられる。制御領域は、ＰＵＣＣＨを含み、制御情報を伝送するのに用いられる。ＰＵＣＣＨは、周波数軸においてデータ領域の両端部に位置しているＲＢ対（ＲＢ  ｐａｉｒ）（例、ｍ＝０，１，２，３）（例、周波数反射（ｆｒｅｑｕｅｎｃｙ  ｍｉｒｒｏｒｅｄ）された位置のＲＢ対）を含み、スロットを境界にホッピングする。アップリンク制御情報（すなわち、ＵＣＩ）は、ＨＡＲＱ ＡＣＫ／ＮＡＣＫ、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。
【００４４】
図１１は、アップリンクで参照信号を伝送するための信号処理手順を説明するための図である。データは、ＤＦＴプリコーダを通じて周波数ドメイン信号に変換された後、周波数マッピング後にＩＦＦＴを通じて伝送されるのに比べて、ＲＳは、ＤＦＴプリコーダを経ることが省かれる。すなわち、周波数ドメインでＲＳシーケンスが直接生成（Ｓ１１）された後に、ローカル化マッピング（Ｓ１２）、ＩＦＦＴ過程（Ｓ１３）及びＣＰ（Ｃｙｃｌｉｃ  Ｐｒｅｆｉｘ）付加過程（Ｓ１４）を順次に経てＲＳが伝送される。
【００４５】
【表５】
2013534098.tif 000007
【００４６】
【数１】
2013534098.tif 000008
【００４７】
【表６】
2013534098.tif 000009
【００４８】
【表７】
2013534098.tif 000010
【００４９】
【表８】
2013534098.tif 000011
【００５０】
【表９】
2013534098.tif 000012
【００５１】
【数２】
2013534098.tif 000013
【００５２】
ここで、ｑ番目のルートザドフチュー（Ｚａｄｏｆｆ−Ｃｈｕ）シーケンスは、下記の数学式３により定義できる。
【００５３】
【数３】
2013534098.tif 000014
【００５４】
ここで、ｑは、下記の数学式４を満たす。
【００５５】
【数４】
2013534098.tif 000015
【００５６】
【表１０】
2013534098.tif 000016
【００５７】
【表１１】
2013534098.tif 000017
【００５８】
【数５】
2013534098.tif 000018
【００５９】
【表１２】
2013534098.tif 000019
【００６０】
【表１３】
2013534098.tif 000020
【００６１】
【表１４】
2013534098.tif 000021
【００６２】
一方、ＲＳホッピングについて説明すると、下記のとおりである。
【００６３】
【表１５】
2013534098.tif 000022
【００６４】
【数６】
2013534098.tif 000023
【００６５】
ここで、ｍｏｄは、モジューロ（ｍｏｄｕｌｏ）演算を表す。
【００６６】
１７個の互いに異なるホッピングパターンと３０個の互いに異なるシーケンスシフトパターンが存在する。上位層により提供されたグループホッピングを活性化させるパラメータによってシーケンスグループホッピングが可能（ｅｎａｂｌｅｄ）または不可能（ｄｉｓａｂｌｅｄ）になる。
【００６７】
ＰＵＣＣＨとＰＵＳＣＨとは、同じホッピングパターンを有するが、互いに異なるシーケンスシフトパターンを有することができる。
【００６８】
【表１６】
2013534098.tif 000024
【００６９】
【数７】
2013534098.tif 000025
【００７０】
【表１７】
2013534098.tif 000026
【００７１】
【表１８】
2013534098.tif 000027
【００７２】
【表１９】
2013534098.tif 000028
【００７３】
以下、シーケンスホッピングについて説明する。
【００７４】
【表２０】
2013534098.tif 000029
【００７５】
【表２１】
2013534098.tif 000030
【００７６】
【表２２】
2013534098.tif 000031
【００７７】
【数８】
2013534098.tif 000032
【００７８】
【表２３】
2013534098.tif 000033
【００７９】
ＰＵＳＣＨに対する基準信号は、下記のように決定される。
【００８０】
【表２４】
2013534098.tif 000034
【００８１】
【表２５】
2013534098.tif 000035
【００８２】
【表２６】
2013534098.tif 000036
【００８３】
【表２７】
2013534098.tif 000037
【００８４】
【表２８】
2013534098.tif 000038
【００８５】
【表２９】
2013534098.tif 000039
【００８６】
ＰＵＳＣＨにおいてアップリンクＲＳのための物理的マッピング方法は、下記のとおりである。
【００８７】
【表３０】
2013534098.tif 000040
【００８８】
【表３１】
2013534098.tif 000041
【００８９】
図１２Ａは、標準ＣＰ（ｎｏｒｍａｌ  ＣＰ）の場合にＰＵＳＣＨのためのＤＭＲＳ（ｄｅｍｏｄｕｌａｔｉｏｎ  ｒｅｆｅｒｅｎｃｅ  ｓｉｇｎａｌ）構造を示す図であり、図１２Ｂは、拡張ＣＰ（ｅｘｔｅｎｄｅｄ  ＣＰ）の場合にＰＵＳＣＨのためのＤＭＲＳ構造を示す図である。図１２Ａでは、４番目と１１番目のＳＣ−ＦＤＭＡシンボルを通じてＤＭＲＳが伝送され、図１２Ｂでは、３番目と９番目のＳＣ−ＦＤＭＡシンボルを通じてＤＭＲＳが伝送される。
【００９０】
図１３乃至図１６は、ＰＵＣＣＨフォーマットのスロットレベル構造を示す例である。ＰＵＣＣＨは、制御情報を伝送するために下記の形式を含む。
（１）フォーマット（Ｆｏｒｍａｔ）１：オン−オフキーイング（Ｏｎ−Ｏｆｆ  ｋｅｙｉｎｇ）（ＯＯＫ）変調、スケジューリング要請（Ｓｃｈｅｄｕｌｉｎｇ  Ｒｅｑｕｅｓｔ：ＳＲ）に使用
（２）フォーマット１ａとフォーマット１ｂ：ＡＣＫ／ＮＡＣＫ（Ａｃｋｎｏｗｌｅｄｇｍｅｎｔ／Ｎｅｇａｔｉｖｅ  Ａｃｋｎｏｗｌｅｄｇｍｅｎｔ）伝送に使用
１）フォーマット１ａ：１個のコードワードに対するＢＰＳＫ ＡＣＫ／ＮＡＣＫ
２）フォーマット１ｂ：２個のコードワードに対するＱＰＳＫ ＡＣＫ／ＮＡＣＫ
（３）フォーマット２：ＱＰＳＫ変調、ＣＱＩ伝送に使用
（４）フォーマット２ａとフォーマット２ｂ：ＣＱＩとＡＣＫ／ＮＡＣＫの同時伝送に使用
【００９１】
表４は、ＰＵＣＣＨフォーマットによる変調方式、及びサブフレーム当たりのビット数を表す。表５は、ＰＵＣＣＨフォーマットによるスロット当たりのＲＳの個数を表す。表６は、ＰＵＣＣＨフォーマットによるＲＳのＳＣ−ＦＤＭＡシンボル位置を表すものである。表４で、ＰＵＣＣＨフォーマット２ａと２ｂは、標準ＣＰの場合に該当する。
【００９２】
【表３２】
2013534098.tif 000042
【００９３】
【表３３】
2013534098.tif 000043
【００９４】
【表３４】
2013534098.tif 000044
【００９５】
図１３は、標準ＣＰの場合におけるＰＵＣＣＨフォーマット１ａ及び１ｂを示す。図１４は、拡張ＣＰの場合におけるＰＵＣＣＨフォーマット１ａ及び１ｂを示す。ＰＵＣＣＨフォーマット１ａ及び１ｂは、同じ内容の制御情報がサブフレーム内でスロット単位に反復される。各端末から、ＡＣＫ／ＮＡＣＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの互いに異なる巡回シフト（ｃｙｃｌｉｃ  ｓｈｉｆｔ：ＣＳ）（周波数ドメインコード）と直交カバーコード（ｏｒｔｈｏｇｏｎａｌ  ｃｏｖｅｒ  ｏｒ  ｏｒｔｈｏｇｏｎａｌ  ｃｏｖｅｒ  ｃｏｄｅ：ＯＣ  ｏｒ  ＯＣＣ）（時間ドメイン拡散コード）とから構成された互いに異なるリソースを通じて伝送される。ＯＣは、例えば、ウォルシュ（Ｗａｌｓｈ）／ＤＦＴ直交コードを含む。ＣＳの個数が６であり、ＯＣの個数が３であれば、単一アンテナを基準に、総１８個の端末が同一のＰＲＢ（Ｐｈｙｓｉｃａｌ  Ｒｅｓｏｕｒｃｅ  Ｂｌｏｃｋ）内で多重化されることが可能である。直交シーケンスｗ０、ｗ１、ｗ２、ｗ３は、（ＦＦＴ変調後に）任意の時間ドメインで、または（ＦＦＴ変調前に）任意の周波数ドメインで適用されるとよい。
【００９６】
ＳＲ及び持続的スケジューリング（ｐｅｒｓｉｓｔｅｎｔｓ  ｃｈｅｄｕｌｉｎｇ）のために、ＣＳ、ＯＣ及びＰＲＢ（Ｐｈｙｓｉｃａｌ  Ｒｅｓｏｕｒｃｅ  Ｂｌｏｃｋ）で構成されたＡＣＫ／ＮＡＣＫリソースを、ＲＲＣ（Ｒａｄｉｏ  Ｒｅｓｏｕｒｃｅ  Ｃｏｎｔｒｏｌ）を通じて端末に与えることができる。動的ＡＣＫ／ＮＡＣＫ及び非持続的スケジューリング（ｎｏｎ−ｐｅｒｓｉｓｔｅｎｔ  ｓｃｈｅｄｕｌｉｎｇ）のために、ＡＣＫ／ＮＡＣＫリソースを、ＰＤＳＣＨに対応するＰＤＣＣＨの最小（ｌｏｗｅｓｔ）のＣＣＥ（Ｃｏｎｔｒｏｌ  Ｃｈａｎｎｅｌ  Ｅｌｅｍｅｎｔ）インデックスによって暗黙的に（ｉｍｐｌｉｃｉｔｌｙ）端末に与えることができる。
【００９７】
図１５には、標準ＣＰの場合におけるＰＵＣＣＨフォーマット２／２ａ／２ｂを示す。図１６は、拡張ＣＰの場合におけるＰＵＣＣＨフォーマット２／２ａ／２ｂを示す。図１５及び図１６を参照すると、標準ＣＰの場合に、一つのサブフレームは、ＲＳシンボルの他、１０個のＱＰＳＫデータシンボルで構成される。それぞれのＱＰＳＫシンボルは、ＣＳにより周波数ドメインで拡散された後、該当のＳＣ−ＦＤＭＡシンボルにマッピングされる。ＳＣ−ＦＤＭＡシンボルレベルＣＳホッピングは、インター・セル干渉をランダム化するために適用することができる。ＲＳは、巡回シフトを用いてＣＤＭにより多重化することができる。例えば、可用ＣＳの個数が１２または６であるとすれば、同一のＰＲＢ内にそれぞれ１２または６個の端末を多重化することができる。要するに、ＰＵＣＣＨフォーマット１／１ａ／１ｂと２／２ａ／２ｂにおいて、複数の端末を、ＣＳ＋ＯＣ＋ＰＲＢとＣＳ＋ＰＲＢによりそれぞれ多重化することができる。
【００９８】
ＰＵＣＣＨフォーマット１／１ａ／１ｂのための長さ４と長さ３の直交シーケンス（ＯＣ）は、下記の表７及び表８に示すとおりである。
【００９９】
【表３５】
2013534098.tif 000045
【０１００】
【表３６】
2013534098.tif 000046
【０１０１】
ＰＵＣＣＨフォーマット１ａ／１ｂにおいて、ＲＳのための直交シーケンス（ＯＣ）は、下記の表９のとおりである。
【０１０２】
【表３７】
2013534098.tif 000047
【０１０３】
【表３８】
2013534098.tif 000048
【０１０４】
図１８は、同一のＰＲＢ内で、ＰＵＣＣＨフォーマット１ａ／１ｂ及びフォーマット２／２ａ／２ｂの混合構造に対するチャネル化を示す図である。
【０１０５】
巡回シフト（Ｃｙｃｌｉｃ  Ｓｈｉｆｔ：ＣＳ）ホッピングと直交カバー（Ｏｒｔｈｏｇｏｎａｌ  Ｃｏｖｅｒ：ＯＣ）再マッピング（ｒｅｍａｐｐｉｎｇ）は、下記のように適用可能である。
（１）インター・セル干渉（ｉｎｔｅｒ−ｃｅｌｌ  ｉｎｔｅｒｆｅｒｅｎｃｅ）のランダム化のためのシンボルベースのセル特定ＣＳホッピング
（２）スロットレベルＣＳ／ＯＣ再マッピング
１）インター・セル干渉ランダム化のために
２）ＡＣＫ／ＮＡＣＫチャネルとリソース（ｋ）間のマッピングのためのスロットベースの接近
【０１０６】
一方、ＰＵＣＣＨフォーマット１ａ／１ｂのためのリソース（ｎr）は、下記の組み合わせを含む。
（１）ＣＳ（＝シンボルレベルでＤＦＴ直交コードと同一）（ｎcs）
（２）ＯＣ（スロットレベルで直交カバー）（ｎoc）
（３）周波数ＲＢ（Ｒｅｓｏｕｒｃｅ  Ｂｌｏｃｋ）（ｎrb）
【０１０７】
ＣＳ、ＯＣ、ＲＢを表すインデックスをそれぞれ、ｎcs、ｎoc、ｎrbとすれば、代表インデックス（ｒｅｐｒｅｓｅｎｔａｔｉｖｅ  ｉｎｄｅｘ）ｎrは、ｎcs、ｎoc、ｎrbを含む。ｎrは、ｎr＝（ｎcs、ｎoc、ｎrb）を満たす。
【０１０８】
ＣＱＩ、ＰＭＩ、ＲＩ、及びＣＱＩとＡＣＫ／ＮＡＣＫとの組み合わせは、ＰＵＣＣＨフォーマット２／２ａ／２ｂを通じて伝達することができる。リードマラー（Ｒｅｅｄ  Ｍｕｌｌｅｒ：ＲＭ）チャネルコーディングを適用することができる。
【０１０９】
【表３９】
2013534098.tif 000049
【０１１０】
【表４０】
2013534098.tif 000050
【０１１１】
【表４１】
2013534098.tif 000051
【０１１２】
【数９】
2013534098.tif 000052
【０１１３】
ここで、ｉ＝０，１，２，…，Ｂ−１を満たす。
【０１１４】
表１１は、広帯域報告（単一アンテナポート、送信ダイバーシティ（ｔｒａｎｓｍｉｔ  ｄｉｖｅｒｓｉｔｙ）または開ループ空間多重化（ｏｐｅｎ  ｌｏｏｐ  ｓｐａｔｉａｌ  ｍｕｌｔｉｐｌｅｘｉｎｇ）ＰＤＳＣＨ）ＣＱＩフィードバックのためのＵＣＩ（Ｕｐｌｉｎｋ  Ｃｏｎｔｒｏｌ  Ｉｎｆｏｒｍａｔｉｏｎ）フィールドを表すものである。
【０１１５】
【表４２】
2013534098.tif 000053
【０１１６】
表１２は、広帯域に対するＣＱＩとＰＭＩフィードバックのためのＵＣＩフィールドを表し、該フィールドは、閉ループ空間多重化（ｃｌｏｓｅｄ  ｌｏｏｐ  ｓｐａｔｉａｌ  ｍｕｌｔｉｐｌｅｘｉｎｇ）ＰＤＳＣＨ伝送を報告する。
【０１１７】
【表４３】
2013534098.tif 000054
【０１１８】
表１３は、広帯域報告のためのＲＩフィードバックのためのＵＣＩフィールドを表す。
【０１１９】
【表４４】
2013534098.tif 000055
【０１２０】
図１９は、ＰＲＢ割当を示す図である。図１９に示すように、スロットｎsでＰＵＣＣＨ伝送のためにＰＲＢを用いることができる。
【０１２１】
マルチキャリアシステムまたはキャリアアグリゲーション（ｃａｒｒｉｅｒ  ａｇｇｒｅｇａｔｉｏｎ）システムは、広帯域支援のために目標帯域（ｂａｎｄｗｉｄｔｈ）よりも小さい帯域を持つ複数のキャリアを統合して用いるシステムのことをいう。目標帯域よりも小さい帯域を持つ複数のキャリアを統合する時に、統合されるキャリアの帯域は、既存システムとの互換（ｂａｃｋｗａｒｄ  ｃｏｍｐａｔｉｂｉｌｉｔｙ）のために、既存システムで用いる帯域幅に制限されるとよい。例えば、既存のＬＴＥシステムは、１．４、３、５、１０、１５、２０ＭＨｚの帯域幅を支援し、ＬＴＥシステムから進展したＬＴＥ−Ａ（ＬＴＥ−Ａｄｖａｎｃｅｄ）システムは、ＬＴＥで支援する帯域幅のみを用いて２０ＭＨｚよりも大きい帯域幅を支援することができる。または、既存システムで用いる帯域幅にかかわらず、新しい帯域幅を定義してキャリアアグリゲーションを支援してもよい。マルチキャリアは、キャリアアグリゲーション及び帯域幅統合と併用できる名称である。また、キャリアアグリゲーションは、隣接した（ｃｏｎｔｉｇｕｏｕｓ）キャリアアグリゲーションと隣接していない（ｎｏｎ−ｃｏｎｔｉｇｕｏｕｓ）キャリアアグリゲーションを総称する。
【０１２２】
図２０は、基地局でダウンリンクコンポーネントキャリアを管理する概念を示す図であり、図２１は、端末でアップリンクコンポーネントキャリアを管理する概念を示す図である。説明の便宜のために、以下では、図２０及び図２１において、上位層をＭＡＣと簡略化して説明する。
【０１２３】
図２２は、基地局において一つのＭＡＣがマルチキャリアを管理する概念を説明する。図２３は、端末において一つのＭＡＣがマルチキャリアを管理する概念を説明する。
【０１２４】
図２２及び２３を参照すると、一つのＭＡＣが一つ以上の周波数キャリアを管理及び運営して送受信を行う。一つのＭＡＣにより管理される周波数キャリアは、互いに隣接する必要がないため、リソース管理の側面においてより柔軟（ｆｌｅｘｉｂｌｅ）であるという利点がある。図２２及び図２３で、一つのＰＨＹは、便宜上、一つのコンポーネントキャリアを意味するとする。ここで、一つのＰＨＹは、必ずしも独立したＲＦ（Ｒａｄｉｏ  Ｆｒｅｑｕｅｎｃｙ）デバイスを意味するわけではない。一般に、一つの独立したＲＦデバイスは、一つのＰＨＹを意味するが、これに限定されず、一つのＲＦデバイスは複数のＰＨＹを含むこともできる。
【０１２５】
図２４は、基地局において複数のＭＡＣがマルチキャリアを管理する概念を説明する。図２５は、端末において複数のＭＡＣがマルチキャリアを管理する概念を説明する。図２６は、基地局において複数のＭＡＣがマルチキャリアを管理する他の概念を説明する。図２７は、端末において複数のＭＡＣがマルチキャリアを管理する他の概念を説明する。
【０１２６】
図２２及び図２３に示すような構造に限定されず、図２４乃至図２７のように、複数のキャリアを、一つのＭＡＣではなく複数のＭＡＣが制御することもできる。
【０１２７】
図２４及び図２５に示すように、それぞれのキャリアをそれぞれのＭＡＣが１：１で制御することもでき、図２６及び図２７に示すように、一部キャリアについては、それぞれのキャリアをそれぞれのＭＡＣが１：１で制御し、残り１個以上のキャリアを一つのＭＡＣが制御することもできる。
【０１２８】
上記のシステムは、１個〜Ｎ個の多数のキャリアを含むシステムであり、各キャリアは隣接して用いられることもあり、非隣接（ｎｏｎ−ｃｏｎｔｉｇｕｏｕｓ）して用いられることもある。これは、アップリンク／ダウンリンクを問わずに適用可能である。ＴＤＤシステムは、それぞれのキャリア内にダウンリンクとアップリンクの伝送を含むＮ個の多数キャリアを運営するように構成され、ＦＤＤシステムは、多数のキャリアをアップリンクとダウンリンクにそれぞれ用いるように構成される。ＦＤＤシステムの場合に、アップリンクとダウンリンクで統合されるキャリアの数及び／またはキャリアの帯域幅が、他の非対称的なキャリアアグリゲーションも支援することができる。
【０１２９】
アップリンクとダウンリンクで統合されたコンポーネントキャリアの個数が同一であれば、全てのコンポーネントキャリアを既存システムと互換可能に構成することができる。しかし、互換性を考慮しないコンポーネントキャリアが本発明から排除されるわけではない。
【０１３０】
以下では、説明の便宜のために、ＰＤＣＣＨがダウンリンクコンポーネントキャリア＃０で伝送された時に、該当のＰＤＳＣＨはダウンリンクコンポーネントキャリア＃０で伝送されるとして説明するが、交差−キャリアスケジュールリング（ｃｒｏｓｓ−ｃａｒｒｉｅｒ  ｓｃｈｅｄｕｌｉｎｇ）が適用されることで、該当のＰＤＳＣＨが他のダウンリンクコンポーネントキャリアを通じて伝送されてもよいことは明らかである。「コンポーネントキャリア」という用語は、等価の他の用語（例、セル）にしてもよい。
図２８には、キャリアアグリゲーションが支援される無線通信システムにおいて、アップリンク制御情報（Ｕｐｌｉｎｋ  Ｃｏｎｔｒｏｌ  Ｉｎｆｏｒｍａｔｉｏｎ：ＵＣＩ）が伝送されるシナリオを例示する。便宜上、本例は、ＵＣＩがＡＣＫ／ＮＡＣＫ（Ａ／Ｎ）である場合とする。しかし、これは、説明の便宜のためのもので、ＵＣＩはチャネル状態情報（Ｃｈａｎｎｅｌ  Ｓｔａｔｅ  Ｉｎｆｏｒｍａｔｉｏｎ、ＣＳＩ）（例、ＣＱＩ、ＰＭＩ、ＲＩ）、スケジューリング要請情報（例、ＳＲ）のような制御情報を制限なく含むことができる。
【０１３１】
図２８には、５個のＤＬ ＣＣが１個のＵＬ ＣＣとリンクされた非対称キャリアアグリゲーションを例示する。例示した非対称キャリアアグリゲーションは、ＵＣＩ伝送の観点で設定したものでよい。すなわち、ＵＣＩのためのＤＬ ＣＣ−ＵＬ ＣＣリンケージとデータのためのＤＬ ＣＣ−ＵＬ ＣＣリンケージとを、異なるように設定することができる。便宜上、一つのＤＬ ＣＣが最大２個のコードワードを伝送できるとすれば、ＵＬ ＡＣＫ／ＮＡＣＫビットも、少なくとも２ビットが必要である。この場合、５個のＤＬ ＣＣを通じて受信したデータに対するＡＣＫ／ＮＡＣＫを一つのＵＬ ＣＣを通じて伝送するには、少なくとも１０ビットのＡＣＫ／ＮＡＣＫビットが必要である。ＤＬ ＣＣ別にＤＴＸ状態も支援するためには、ＡＣＫ／ＮＡＣＫ伝送のために少なくとも１２ビット（＝５5＝３１２５＝１１．６１ビット）が必要である。既存のＰＵＣＣＨフォーマット１ａ／１ｂは２ビットまでＡＣＫ／ＮＡＣＫを送ることができるため、この構造では、増加したＡＣＫ／ＮＡＣＫ情報を伝送することができない。ＵＣＩ情報の量が増加する原因としてキャリアアグリゲーションを挙げたが、アンテナ個数の増加、ＴＤＤシステム、リレーシステムにおけるバックホールサブフレームの存在などにも起因する。ＡＣＫ／ＮＡＣＫと同様に、複数のＤＬ ＣＣと関連した制御情報を一つのＵＬ ＣＣを通じて伝送すべき場合にも、伝送されるべき制御情報の量が増加する。例えば、複数のＤＬ ＣＣに対するＣＱＩ／ＰＭＩ／ＲＩを伝送しなければならない場合に、ＵＣＩペイロードが増加することがある。
【０１３２】
ＤＬプライマリＣＣは、ＵＬプライマリＣＣとリンケージされたＤＬ ＣＣと規定できる。ここで、リンケージは、暗黙的（ｉｍｐｌｉｃｉｔ）、明示的（eｘｐｌｉｃｉｔ）リンケージ（ｌｉｎｋａｇｅ）の両方を包括する。ＬＴＥでは、一つのＤＬ ＣＣと一つのＵＬ ＣＣが固有にペアリングされている。例えば、ＬＴＥペアリングにより、ＵＬプライマリＣＣとリンケージされたＤＬ ＣＣを、ＤＬプライマリＣＣと称することができる。これを暗黙的リンケージということができる。明示的リンケージは、ネットワークがあらかじめリンケージを構成（ｃｏｎｆｉｇｕｒａｔｉｏｎ）することを意味し、ＲＲＣなどでシグナリングできる。明示的リンケージにおいて、ＵＬプライマリＣＣとペアリングされているＤＬ ＣＣをプライマリＤＬ ＣＣと称することができる。ここで、ＵＬプライマリ（またはアンカー）ＣＣは、ＰＵＣＣＨが伝送されるＵＬ ＣＣでよい。あるいは、ＵＬプライマリＣＣは、ＰＵＣＣＨあるいはＰＵＳＣＨを通じてＵＣＩが伝送されるＵＬ ＣＣでもよい。または、ＤＬプライマリＣＣは、上位層シグナリングを通じて構成されてもよい。または、ＤＬプライマリＣＣは、端末が初期接続を行ったＤＬ ＣＣでもよい。また、ＤＬプライマリＣＣ以外のＤＬ ＣＣは、ＤＬセカンダリＣＣと呼ぶことができる。同様に、ＵＬプライマリＣＣ以外のＵＬ ＣＣは、ＵＬセカンダリＣＣと呼ぶことができる。
【０１３３】
ＬＴＥ−Ａは、無線リソースを管理するためにセル（ｃｅｌｌ）の概念を用いる。セルは、ダウンリンクリソースとアップリンクリソースとの組み合わせで定義され、アップリンクリソースは必須要素ではない。そのため、セルは、ダウンリンクリソース単独、またはダウンリンクリソース及びアップリンクリソースで構成することができる。キャリアアグリゲーションが支援される場合に、ダウンリンクリソースのキャリア周波数（または、ＤＬ ＣＣ）とアップリンクリソースのキャリア周波数（または、ＵＬ ＣＣ）間のリンケージ（ｌｉｎｋａｇｅ）は、システム情報により指示されるとよい。プライマリ周波数（またはＰＣＣ）上で動作するセルをプライマリセル（Ｐｒｉｍａｒｙ  Ｃｅｌｌ、ＰＣｅｌｌ）と呼び、セカンダリ周波数（またはＳＣＣ）上で動作するセルをセカンダリセル（Ｓｅｃｏｎｄａｒｙ  Ｃｅｌｌ、ＳＣｅｌｌ）と呼ぶことができる。簡単に、ＤＬ ＣＣ及びＵＬ ＣＣはそれぞれ、ＤＬセル及びＵＬセルと呼ぶことができる。また、アンカー（あるいは、プライマリ）ＤＬ ＣＣ及びアンカー（あるいは、プライマリ）ＵＬ ＣＣはそれぞれ、ＤＬ ＰＣｅｌｌ(Ｐｒｉｍａｒｙ  Ｃｅｌｌ）及びＵＬ ＰＣｅｌｌと呼ぶことができる。ＰＣｅｌｌは、端末が初期接続確立（ｉｎｉｔｉａｌ  ｃｏｎｎｅｃｔｉｏｎ  ｅｓｔａｂｌｉｓｈｍｅｎｔ）手順を行ったり、接続再−確立手順を行うのに用いられる。ＰＣｅｌｌは、ハンドオーバー過程で指示されたセルでもよい。ＳＣｅｌｌは、ＲＲＣ接続が確立された後に構成可能であり、追加的な無線リソースを提供するのに用いることができる。ＰＣｅｌｌとＳＣｅｌｌはサービングセルと総称することもできる。したがって、ＲＲＣ＿ＣＯＮＮＥＣＴＥＤ状態にあるが、キャリアアグリゲーションが設定されていないか、または、キャリアアグリゲーションを支援しない端末の場合に、ＰＣｅｌｌのみで構成されたサービングセルが一つのみ存在する。一方、ＲＲＣ＿ＣＯＮＮＥＣＴＥＤ状態にあり、かつ、キャリアアグリゲーションが設定されている端末の場合は、一つ以上のサービングセルが存在し、全体サービングセルにはＰＣｅｌｌ及び全体ＳＣｅｌｌが含まれる。キャリアアグリゲーションのために、ネットワークは、初期保安活性化（ｉｎｉｔｉａｌ  ｓｅｃｕｒｉｔｙ  ａｃｔｉｖａｔｉｏｎ）過程が開始された後、接続確立過程で初期に構成されるＰＣｅｌｌに加えて、一つ以上のＳＣｅｌｌをキャリアアグリゲーションを支援する端末のために構成することができる。
【０１３４】
ＤＬ−ＵＬペアリングは、ＦＤＤに限るものでよい。ＴＤＤは、同じ周波数を用いるため、ＤＬ−ＵＬペアリングを別に定義しなくてもよいわけである。また、ＤＬ−ＵＬリンケージは、ＳＩＢ２のＵＬ ＥＡＲＦＣＮ（Ｅ−ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）情報を通じてＵＬリンケージから決定することができる。例えば、ＤＬ−ＵＬリンケージを、初期接続時にＳＩＢ２デコーディングを通じて獲得し、それ以外はＲＲＣシグナリングを通じて獲得することができる。そのため、ＳＩＢ２リンケージのみ存在し、他のＤＬ−ＵＬペアリングは明示的に定義されなくてもよい。例えば、図２８の５ＤＬ：１ＵＬの構造において、ＤＬ ＣＣ#０とＵＬ ＣＣ#０とはＳＩＢ２リンケージ関係にあり、残りのＤＬ ＣＣは、当該端末に設定されていない他のＵＬ ＣＣとＳＩＢ２リンケージ関係を有することができる。
【０１３５】
図２８のようなシナリオを支援するためには新しい方法が必要である。以下、キャリアアグリゲーションを支援する通信システムにおいて、ＵＣＩ（例、多重Ａ／Ｎビット）をフィードバックするためのＰＵＣＣＨフォーマットを、ＣＡ ＰＵＣＣＨフォーマット（あるいは、ＰＵＣＣＨフォーマット３）と呼ぶ。例えば、ＰＵＣＣＨフォーマット３は、多重ＤＬサービングセルから伝送されるＰＤＳＣＨ（あるいはＰＤＣＣＨ）に相応するＡ／Ｎ情報（ＤＴＸ状態を含んでもよい。）を伝送するのに用いられる。
【０１３６】
図２９Ａ乃至図２９Ｆには、ＰＵＣＣＨフォーマット３の構造及び信号処理手順を例示する。
【０１３７】
図２９Ａには、ＰＵＣＣＨフォーマット３をＰＵＣＣＨフォーマット１（標準ＣＰ）の構造に適用する場合を例示する。図２９Ａを参照すると、チャネルコーディングブロック（ｃｈａｎｎｅｌ  ｃｏｄｉｎｇ  ｂｌｏｃｋ）は、情報ビットａ＿０、ａ＿１、…、ａ＿Ｍ−１（例、多重ＡＣＫ／ＮＡＣＫビット）をチャネルコーディングして、コーディングビット（ｃｏｄｅｄ  ｂｉｔ  ｏｒ  ｃｏｄｉｎｇ  ｂｉｔ）（またはコードワード）ｂ＿０、ｂ＿１，…，ｂ＿Ｎ−１を生成する。Ｍは、情報ビットのサイズを表し、Ｎは、コーディングビットのサイズを表す。情報ビットは、アップリンク制御情報（ＵＣＩ）、例えば、複数のＤＬ ＣＣを通じて受信した複数のデータ（またはＰＤＳＣＨ）に対する多重ＡＣＫ／ＮＡＣＫを含む。ここで、情報ビットａ＿０、ａ＿１、…、ａ＿Ｍ−１は、情報ビットを構成するＵＣＩの種類／個数／サイズにかかわらずにジョイントコーディングされる。例えば、情報ビットが複数のＤＬ ＣＣに対する多重ＡＣＫ／ＮＡＣＫを含む場合に、チャネルコーディングは、ＤＬ ＣＣ別、個別ＡＣＫ／ＮＡＣＫビット別に行わずに、全体ビット情報に対して行われ、これにより単一コードワードが生成される。チャネルコーディングには、これに限定されるものではないが、単純反復（ｒｅｐｅｔｉｔｉｏｎ）、単純コーディング（ｓｉｍｐｌｅｘ  ｃｏｄｉｎｇ）、ＲＭ（Ｒｅｅｄ  Ｍｕｌｌｅｒ）コーディング、パンクチャリングされたＲＭコーディング、ＴＢＣＣ（Ｔａｉｌ−ｂｉｔｉｎｇ  ｃｏｎｖｏｌｕｔｉｏｎａｌ  ｃｏｄｉｎｇ）、ＬＤＰＣ（ｌｏｗ−ｄｅｎｓｉｔｙ  ｐａｒｉｔｙ−ｃｈｅｃｋ）あるいはターボ・コーディングを用いることができる。図示してはいないが、コーディングビットは、変調次数とリソース量を考慮してレートマッチング（rａｔｅ−ｍａｔｃｈｉｎｇ）されるとよい。レートマッチング機能は、チャネルコーディングブロックの一部として含まれてもよく、別の機能ブロックによって行われてもよい。例えば、チャネルコーディングブロックは、複数の制御情報に（３２，０）ＲＭコーディングを行って単一コードワードを獲得し、このコードワードに循環バッファレート−マッチングを行うことができる。
【０１３８】
変調器（ｍｏｄｕｌａｔｏｒ）は、コーディングビットｂ＿０，ｂ＿１，…，ｂ＿Ｎ−１を変調して、変調シンボルｃ＿０，ｃ＿１，…，ｃ＿Ｌ−１を生成する。Ｌは、変調シンボルのサイズを表す。変調は、伝送信号のサイズと位相を変形することによってなされる。変調方法は、例えば、ｎ−ＰＳＫ（Ｐｈａｓｅ  Ｓｈｉｆｔ  Ｋｅｙｉｎｇ）、ｎ−ＱＡＭ（Ｑｕａｄｒａｔｕｒｅ  Ａｍｐｌｉｔｕｄｅ  Ｍｏｄｕｌａｔｉｏｎ）を含む（ｎは、２以上の整数）。具体的に、変調方法には、ＢＰＳＫ（Ｂｉｎａｒｙ  ＰＳＫ）、ＱＰＳＫ（Ｑｕａｄｒａｔｕｒｅ  ＰＳＫ）、８−ＰＳＫ、ＱＡＭ、１６−ＱＡＭ、６４−ＱＡＭなどを用いることができる。
【０１３９】
分周器（ｄｉｖｉｄｅｒ）は、変調シンボルｃ＿０，ｃ＿１，…，ｃ＿Ｌ−１を各スロットに分周する。変調シンボルを各スロットに分周する順序／パターン／方式は特に制限されない。例えば、分周器は、変調シンボルを前から順にそれぞれのスロットに分周することができる（ローカル型方式）。この場合、図示のように、変調シンボルｃ＿０，ｃ＿１，…，ｃ＿Ｌ／２−１はスロット０に分周し、変調シンボルｃ＿Ｌ／２，ｃ＿Ｌ／２＋１，…，ｃ＿Ｌ−１は、スロット１に分周できる。また、変調シンボルをそれぞれのスロットへの分周時にインタリービング（またはパーミュテーション）することができる。例えば、偶数番目の変調シンボルは、スロット０に分周し、奇数番目の変調シンボルはスロット１に分周することができる。変調過程と分周過程との順序を入れ替えてもよい。
【０１４０】
ＤＦＴプリコーダ（ｐｒｅｃｏｄｅｒ）は、単一搬送波波形（ｓｉｎｇｌｅ  ｃａｒｒｉｅｒ  ｗａｖｅｆｏｒｍ）を生成するために、それぞれのスロットに分周された変調シンボルに対してＤＦＴプリコーディング（例、１２−ポイントＤＦＴ）を行う。同図で、スロット０に分周された変調シンボルｃ＿０，ｃ＿１，…，ｃ＿Ｌ／２−１は、ＤＦＴシンボルｄ＿０，ｄ＿１，…，ｄ＿Ｌ／２−１としてＤＦＴプリコーディングされ、スロット１に分周された変調シンボルｃ＿Ｌ／２，ｃ＿Ｌ／２＋１，…，ｃ＿Ｌ−１は、ＤＦＴシンボルｄ＿Ｌ／２，ｄ＿Ｌ／２＋１，…，ｄ＿Ｌ−１としてＤＦＴプリコーディングされる。ＤＦＴプリコーディングは、相応する他の線形演算（ｌｉｎｅａｒ  ｏｐｅｒａｔｉｏｎ）（例、ｗａｌｓｈ  ｐｒｅｃｏｄｉｎｇ）に代替可能である。
【０１４１】
拡散ブロック（ｓｐｒｅａｄｉｎｇ  ｂｌｏｃｋ）は、ＤＦＴされた信号を、ＳＣ−ＦＤＭＡシンボルレベルで（時間ドメイン）拡散する。ＳＣ−ＦＤＭＡシンボルレベルの時間ドメイン拡散は、拡散コード（あるいは、拡散シーケンス）を用いて行われる。拡散コードは、準直交コードと直交コードを含む。準直交コードは、これに制限されるわけではないが、ＰＮ（Ｐｓｅｕｄｏ  Ｎｏｉｓｅ）コードを含む。直交コードは、これに制限されるわけではないが、ウォルシュコード、ＤＦＴコードを含む。直交コード（Ｏｒｔｈｏｇｏｎａｌ  Ｃｏｄｅ、ＯＣ）は、直交シーケンス（ｏｒｔｈｏｇｏｎａｌ  ｓｅｑｕｅｎｃｅ）、直交カバー（Ｏｒｔｈｏｇｏｎａｌ  Ｃｏｖｅｒ、ＯＣ）、直交カバーコード（Ｏｒｔｈｏｇｏｎａｌ  Ｃｏｖｅｒ  Ｃｏｄｅ、ＯＣＣ）と混用されてもよい。本明細書は、説明の容易性のために、拡散コードの代表例として直交コードを挙げて説明するが、これは例示であり、直交コードは準直交コードに代替可能である。拡散コードサイズ（または、拡散因子（Ｓｐｒｅａｄｉｎｇ  Ｆａｃｔｏｒ：ＳＦ））の最大値は、制御情報伝送に用いられるＳＣ−ＦＤＭＡシンボルの個数によって制限される。一例として、１スロットで４個のＳＣ−ＦＤＭＡシンボルが制御情報伝送に用いられる場合に、スロット別に長さ４の（準）直交コードｗ０，ｗ１，ｗ２，ｗ３を用いることができる。ＳＦは、制御情報の拡散度を意味し、端末の多重化次数（ｍｕｌｔｉｐｌｅｘｉｎｉｇ  ｏｒｄｅｒ）またはアンテナ多重化次数と関連を持つことができる。ＳＦは、１、２、３、４、…のように、システムの要求条件によって可変でき、基地局と端末間にあらかじめ定義されたり、ＤＣＩあるいはＲＲＣシグナリングを通じて端末に知らせられたりすることができる。例えば、ＳＲＳを伝送するために、制御情報用ＳＣ−ＦＤＭＡシンボルのうちの一つをパンクチャリングする場合に、当該スロットの制御情報にはＳＦの縮小した（例、ＳＦ＝４の代わりにＳＦ＝３）拡散コードを適用することができる。
【０１４２】
上の過程を経て生成された信号は、ＰＲＢ内の副搬送波にマッピングされた後に、ＩＦＦＴを経て時間ドメイン信号に変換される。時間ドメイン信号にはＣＰが付加され、生成されたＳＣ−ＦＤＭＡシンボルはＲＦ端を通じて伝送される。
【０１４３】
５個のＤＬ ＣＣに対するＡＣＫ／ＮＡＣＫを伝送する場合を挙げて、各過程をより具体的に説明する。それぞれのＤＬ ＣＣが２個のＰＤＳＣＨを伝送できる場合に、これに対するＡＣＫ／ＮＡＣＫビットは、ＤＴＸ状態を含む場合に１２ビットでよい。ＱＰＳＫ変調とＳＦ＝４時間拡散を想定する場合に、（レートマッチング後の）コーディングブロックサイズは４８ビットでよい。コーディングビットは２４個のＱＰＳＫシンボルに変調され、生成されたＱＰＳＫシンボルは１２個ずつ各スロットに分周される。各スロットで１２個のＱＰＳＫシンボルは１２−ポイントＤＦＴ演算を通じて１２個のＤＦＴシンボルに変換される。各スロットにおいて１２個のＤＦＴシンボルは時間ドメインでＳＦ＝４拡散コードを用いて４個のＳＣ−ＦＤＭＡシンボルに拡散されてマッピングされる。１２個のビットが［２ビット＊１２個の副搬送波＊８個のＳＣ−ＦＤＭＡシンボル］を通じて伝送されるので、コーディングレートは０．０６２５（＝１２／１９２）である。また、ＳＦ＝４の場合に、１ＰＲＢ当たり最大４個の端末を多重化することができる。
【０１４４】
図２９Ａを参照して説明した信号処理手順は単なる例示であり、図２９ＡでＰＲＢにマッピングされた信号は、等価の様々な信号処理手順を通じて得られてもよい。図２９Ｂ乃至図２９Ｆを参照して、図２９Ａに例示したものと等価の信号処理手順を説明する。
【０１４５】
図２９Ｂは、図２９ＡにおいてＤＦＴプリコーダと拡散ブロックとの処理順序を入れ替えたものである。図２９Ａにおいて拡散ブロックの機能は、ＤＦＴプリコーダから出力されたＤＦＴシンボル列にＳＣ−ＦＤＭＡシンボルレベルで特定の定数をかけるに等しいものあるから、これらの順序を入れ替えても、ＳＣ−ＦＤＭＡシンボルにマッピングされる信号の値は同一である。したがって、ＰＵＣＣＨフォーマット３のための信号処理手順は、チャネルコーディング、変調、分周、拡散、ＤＦＴプリコーディングの順にすることができる。この場合、分周過程と拡散過程は一つの機能ブロックにより行われてもよい。一例として、変調シンボルをそれぞれのスロットに交互に分周しながら、それぞれの変調シンボルを分周と同時にＳＣ−ＦＤＭＡシンボルレベルで拡散させることができる。他の例として、変調シンボルをそれぞれのスロットに分周する時にそれぞれの変調シンボルを拡散コードのサイズに対応するようにコピーし、これらの変調シンボルと拡散コードの各元素を１対１にかけることができる。そのため、スロット別に生成された変調シンボル列は、ＳＣ−ＦＤＭＡシンボルレベルで複数のＳＣ−ＦＤＭＡシンボルに拡散される。その後、それぞれのＳＣ−ＦＤＭＡシンボルに対応する複素シンボル列は、ＳＣ−ＦＤＭＡシンボル単位にＤＦＴプリコーディングされる。
【０１４６】
図２９Ｃは、図２９Ａにおいて変調器と分周器との処理順序を入れ替えたものである。そのため、ＰＵＣＣＨフォーマット３のための処理手順は、サブフレームレベルでジョイントチャネルコーディングと分周が行われ、それぞれのスロットレベルで変調、ＤＦＴプリコーディング、拡散の順に行われる。
【０１４７】
図２９Ｄは、図２９Ｃにおいて、ＤＦＴプリコーダと拡散ブロックとの処理順序をさらに入れ替えたものである。前述したように、拡散ブロックの機能は、ＤＦＴプリコーダから出力されたＤＦＴシンボル列にＳＣ−ＦＤＭＡシンボルレベルで特定の定数をかけるに等しいものであるから、それらの順序を入れ替えても、ＳＣ−ＦＤＭＡシンボルにマッピングされる信号の値は同一である。したがって、ＰＵＣＣＨフォーマット３のための信号処理手順は、サブフレームレベルでジョイントチャネルコーディングと分周が行われ、それぞれのスロットレベルで変調が行われる。スロット別に生成された変調シンボル列は、ＳＣ−ＦＤＭＡシンボルレベルで複数のＳＣ−ＦＤＭＡシンボルに拡散され、それぞれのＳＣ−ＦＤＭＡシンボルに対応する変調シンボル列は、ＳＣ−ＦＤＭＡシンボル単位にＤＦＴプリコーディング順になる。この場合、変調過程と拡散過程は、一つの機能ブロックにより行われてもよい。一例として、コーディングビットを変調しながら、生成された変調シンボルを直ちにＳＣ−ＦＤＭＡシンボルレベルで拡散させることができる。他の例として、コーディングビットの変調時に生成された変調シンボルを拡散コードのサイズに対応するようにコピーし、これらの変調シンボルと拡散コードの各元素を１対１にかけることができる。
【０１４８】
図２９Ｅは、ＰＵＣＣＨフォーマット３をＰＵＣＣＨフォーマット２（標準ＣＰ）の構造に適用する場合を示し、図２９Ｆは、ＰＵＣＣＨフォーマット３をＰＵＣＣＨフォーマット２（拡張ＣＰ）の構造に適用する場合を示す。基本的な信号処理手順は、図２９Ａ乃至図２９Ｄを参照して説明した通りである。既存ＬＴＥのＰＵＣＣＨフォーマット２構造を再使用することから、ＰＵＣＣＨフォーマット３でＵＣＩ ＳＣ−ＦＤＭＡシンボル及びＲＳ ＳＣ−ＦＤＭＡシンボルの個数／位置が、図２９Ａとは異なってくる。
【０１４９】
表１４には、図示のＰＵＣＣＨフォーマット３でＲＳ ＳＣ−ＦＤＭＡシンボルの位置を示す。標準ＣＰの場合に、スロットにおけるＳＣ−ＦＤＭＡシンボルは７個（インデックス：０〜６）であり、拡張ＣＰの場合に、スロットにおけるＳＣ−ＦＤＭＡシンボルは６個（インデックス：０〜５）であるとする。
【０１５０】
【表４５】
2013534098.tif 000056
【０１５１】
ここで、ＲＳは、既存ＬＴＥの構造を継承することができる。例えば、ＲＳシーケンスを、基本シーケンスの巡回シフトにより定義することができる（数学式１参照）。
【０１５２】
【表４６】
2013534098.tif 000057
【０１５３】
【表４７】
2013534098.tif 000058
【０１５４】
図３１には、多重化容量が増加した他のＰＵＣＣＨフォーマット３の構造を示す。もし、スロット−レベル周波数ホッピングをしないとすれば、スロット単位に拡散またはカバリング（例、ウォルシュカバリング）をさらに行って多重化容量をまた２倍増加させることができる。スロット−レベル周波数ホッピングがある場合に、スロット単位にウォルシュカバリングを適用すると、各スロットで経験するチャネル条件の相違によって直交性が崩れることがある。ＲＳのためのスロット単位拡散コード（例、直交コードカバー）としては、これに制限されるものではないが、［ｘ１ ｘ２］＝［１ １］、［１ −１］のウォルシュカバー、またはその線形変換形態（例、［ｊ ｊ］［ｊ −ｊ］、［１ ｊ］［１ −ｊ］等）を含む。ｘ１は、１番目のスロットに適用され、ｘ２は、２番目のスロットに適用される。同図には、スロットレベルの拡散（またはカバリング）があった後に、ＳＣ−ＦＤＭＡシンボルレベルで拡散（またはカバリング）が行われることが示されているが、これらの順序は入れ替えてもよい。
【０１５５】
ＰＵＣＣＨフォーマット３の信号処理過程を、数学式を用いて説明する。便宜上、長さ−５のＯＣＣを用いる場合（例、図２９Ｅ〜図３２）を取り上げる。
【０１５６】
【表４８】
2013534098.tif 000059
【０１５７】
【数１０】
2013534098.tif 000060
【０１５８】
【表４９】
2013534098.tif 000061
【０１５９】
【数１１】
2013534098.tif 000062
【０１６０】
【表５０】
2013534098.tif 000063
【０１６１】
【表５１】
2013534098.tif 000064
【０１６２】
【数１２】
2013534098.tif 000065
【０１６３】
【表５２】
2013534098.tif 000066
【０１６４】
【表５３】
2013534098.tif 000067
【０１６５】
【表５４】
2013534098.tif 000068
【０１６６】
【表５５】
2013534098.tif 000069
【０１６７】
【数１３】
2013534098.tif 000070
【０１６８】
【表５６】
2013534098.tif 000071
【０１６９】
【数１４】
2013534098.tif 000072
【０１７０】
【表５７】
2013534098.tif 000073
【０１７１】
ブロック拡散された複素シンボルセットは、下記の式によって巡回シフトされるとよい。
【０１７２】
【数１５】
2013534098.tif 000074
【０１７３】
【表５８】
2013534098.tif 000075
【０１７４】
【表５９】
2013534098.tif 000076
【０１７５】
【数１６】
2013534098.tif 000077
【０１７６】
【表６０】
2013534098.tif 000078
【０１７７】
図３２には、ＳＯＲＴＤのための信号処理ブロック／過程を例示する。多重アンテナ伝送のためのプロセス以外の基本過程は、図２９〜図３１を参照して説明した通りである。図３２を参照すると、変調シンボルｃ＿０，…，ｃ＿２３は、ＤＦＴプリコーディング後に、アンテナポート別に与えられたリソース（例、ＯＣ、ＰＲＢまたはこれらの組み合わせ）を通じて伝送される。本例の場合、複数のアンテナポートのために一回のＤＦＴ演算を行うことが示されているが、それぞれのアンテナポート別にＤＦＴ演算を行うこともできる。また、ＤＦＴプリコーディングされたシンボルｄ＿０，…，ｄ＿２３は、コピーされたまま２番目のＯＣ／ＰＲＢを通じて伝送されることが例示されているが、ＤＦＴプリコーディングされたシンボルｄ＿０，…，ｄ＿２３の変形された形態（例、共役複素またはスケーリング）が２番目のＯＣ／ＰＲＢを通じて伝送されてもよい。例えば、異なるアンテナポートを介して伝送されるＰＵＣＣＨ信号間に直交性を保障するために、［ＯＣ(0)≠ＯＣ(1)；ＰＲＢ(0)＝ＰＲＢ(1)］、［ＯＣ(0)＝ＯＣ(1)；ＰＲＢ(0)≠ＰＲＢ(1)］、［ＯＣ(0)≠ＯＣ(1)；ＰＲＢ(0)≠ＰＲＢ(1)］が可能である。ここで、上付き文字は、アンテナポート番号またはそれに対応する値を表す。
【０１７８】
図３３は、ＳＯＲＴＤ動作を概括的に説明する図である。図３３を参照すると、端末は、第１のリソースインデックス及び第２のリソースインデックスを獲得する（Ｓ３３１０）。ここで、リソースインデックス（あるいは、リソース値）は、ＰＵＣＣＨリソースインデックス（あるいは、ＰＵＣＣＨリソース値）、好ましくは、ＰＵＣＣＨフォーマット３リソースインデックス（あるいは、ＰＵＣＣＨフォーマット３リソース値）のことを指す。段階Ｓ３３１０は、時間的に異なる複数の段階で構成されてもよい。第１のリソースインデックス及び第２のリソースインデックス獲得方法の詳細については後述する。続いて、端末は、ＰＵＣＣＨ信号を、第１のリソースインデックスに対応するＰＵＣＣＨリソースを用いて伝送し、第１のアンテナ（ポート）を介して伝送する（Ｓ３３２０）。また、端末は、ＰＵＣＣＨ信号を、第２のリソースインデックスに対応するＰＵＣＣＨリソースを用いて伝送し、第２のアンテナ（ポート）を介して伝送する（Ｓ３３３０）。段階Ｓ３３２０及びＳ３３３０は同一のサブフレームで行われる。
【０１７９】
ＰＵＣＣＨ信号は、ＨＡＲＱ−ＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ）を含むことができる。ＨＡＲＱ−ＡＣＫは、ダウンリンク信号に対する応答（例、ＡＣＫ、ＮＡＣＫ、ＤＴＸまたはＮＡＣＫ／ＤＴＸ）を含む。ＰＵＣＣＨ信号がＨＡＲＱ−ＡＣＫを含む場合に、図示してはいないが、図３３の過程は、ダウンリンク信号を受信する過程をさらに含む。ダウンリンクを受信する過程は、ダウンリンクスケジューリングのためのＰＤＣＣＨを受信し、該ＰＤＣＣＨに対応するＰＤＳＣＨを受信することを含む。ＰＵＣＣＨフォーマット３伝送のために、ＰＤＣＣＨ及びＰＤＳＣＨの少なくとも一方をＳＣｅｌｌ上で受信することができる。
【０１８０】
図３２及び図３３を参照して説明した通り、多重アンテナ（ポート）伝送（例、ＳＯＲＴＤ）は、単一アンテナ（ポート）伝送に比べて多量の直交リソースを要求する。例えば、２Ｔｘ ＳＯＲＴＤ伝送時は、単一アンテナ（ポート）伝送対比２倍の直交リソースを要求する。そのため、アンテナ（ポート）伝送モードは、ＰＵＣＣＨのためのリソース領域内に多重化できる端末の数、すなわち、多重化容量（ｍｕｌｔｉｐｌｅｘｉｎｇ  ｃａｐａｃｉｔｙ）と直結される。したがって、基地局は、通信している端末の数に従って流動的にアンテナ（ポート）伝送モードを設定する必要がある。例えば、基地局が収容すべき端末数が少ない場合は、多重−リソースを使用する多重アンテナ（ポート）伝送モード（例、ＳＯＲＴＤモード）をそれぞれの端末に構成すればよく、もし収容すべき端末数が多い場合は、単一リソースを使用する単一アンテナ（ポート）伝送モードを構成すればよい。ＰＵＣＣＨ伝送のためのアンテナ（ポート）伝送モードを、ＲＲＣシグナリングによって設定することができる。また、アンテナ（ポート）伝送モードをＰＵＣＣＨフォーマット別に独立して設定することができる。
【０１８１】
以下、本発明では、ＰＵＣＣＨフォーマット３で多重アンテナ（ポート）伝送のために多重リソースを使用する環境におけるリソース割当方法（図３３、段階Ｓ３３１０参照）について様々な方案を提案する。例えば、２Ｔｘ ＳＯＲＴＤをＰＵＣＣＨフォーマット３に適用する場合には２個の直交リソースが必要であるため、２個の直交リソースに対する割当規則が必要となる。
【０１８２】
【表６１】
2013534098.tif 000079
【０１８３】
具体的に、ＲＲＣによりＡ／ＮのためのＰＵＣＣＨリソースがあらかじめ予備的に割り当てられた場合に、実際ＰＵＣＣＨ伝送に用いられるリソースを下記のように決定することができる。
【０１８４】
− ＳＣｅｌｌ（ｓ）上のＰＤＳＣＨに対応するＰＤＣＣＨ（あるいは、ＰＤＳＣＨに対応するＳＣｅｌｌ（ｓ）上のＰＤＣＣＨ）は、ＲＲＣにより構成されたＰＵＣＣＨリソースのいずれか一つを、ＡＲＩ（すなわち、ＨＡＲＱ−ＡＣＫリソース値）を用いて指示する。
【０１８５】
− ＳＣｅｌｌ（ｓ）上のＰＤＳＣＨに対応するＰＤＣＣＨ（あるいは、ＰＤＳＣＨに対応するＳＣｅｌｌ（ｓ）上のＰＤＣＣＨ）が検出されず、ＰＤＳＣＨがＰＣｅｌｌ上で受信された場合に、下記のいずれかを適用することができる：
・ 既存３ＧＰＰ Ｒｅｌ−８に基づく暗黙的Ａ／Ｎ ＰＵＣＣＨリソース（すなわち、ＰＤＣＣＨを構成する最小のＣＣＥを用いて得られたＰＵＣＣＨフォーマット１ａ／１ｂリソース）が用いられる。
・ ＰＣｅｌｌ上のＰＤＳＣＨに対応するＰＤＣＣＨ（あるいは、ＰＤＳＣＨに対応するＰＣｅｌｌ上のＰＤＣＣＨ）が、ＲＲＣにより構成されたリソースのいずれか一つを、ＡＲＩ（すなわち、ＨＡＲＱ−ＡＣＫリソース値）を用いて指示する。
−  端末は、ＳＣｅｌｌｓ上のＰＤＳＣＨに対応するＰＤＣＣＨ（あるいは、ＰＤＳＣＨに対応するＳＣｅｌｌ（ｓ）上のＰＤＣＣＨ）がいずれも同一のＡＲＩ（すなわち、ＨＡＲＱ−ＡＣＫリソース値）を有すると仮定する。
【０１８６】
ＡＲＩ（すなわち、ＨＡＲＱ−ＡＣＫリソース値）はＸビットでよく、ＳＣｅｌｌ ＰＤＣＣＨのＴＰＣフィールドを再使用する場合にはＸ＝２でよい。便宜上、Ｘ＝２とする。
【０１８７】
以下、ＰＵＣＣＨフォーマット３を用いて制御情報を伝送する場合に、様々なアンテナ（ポート）伝送モードを支援するためのリソース割当方法について説明する。
【０１８８】
【表６２】
2013534098.tif 000080
【０１８９】
【表６３】
2013534098.tif 000081
【０１９０】
ここで、ＨＡＲＱ−ＡＣＫは、ダウンリンク伝送ブロックに対するＨＡＲＱ ＡＣＫ／ＮＡＣＫ／ＤＴＸ応答を表す。ＨＡＲＱ ＡＣＫ／ＮＡＣＫ／ＤＴＸ応答は、ＡＣＫ、ＮＡＣＫ、ＤＴＸ、ＮＡＣＫ／ＤＴＸを含む。
【０１９１】
ＡＲＩ（すなわち、ＨＡＲＱ−ＡＣＫリソース値）がＳＣｅｌｌ ＰＤＣＣＨのＴＰＣフィールドを用いて伝送されるとすれば、端末がＰＣｅｌｌでのみＰＤＳＣＨを受信（あるいは、ＰＣｅｌｌでのみＰＤＣＣＨを受信）する場合に、ＡＲＩ、及びＡＲＩと関連したＰＵＣＣＨリソース値を把握できない問題がある。そのため、当該イベントが発生した場合には、既存の３ＧＰＰ Ｒｅｌ−８／９ ＰＵＣＣＨリソースとＲｅｌ−８／９ ＰＵＣＣＨフォーマット１ａ／１ｂを用いてフォールバック（ｆａｌｌ-ｂａｃｋ）を適用すればよい。
【０１９２】
次に、送信ダイバーシティ（例、ＳＯＲＴＤ）のための複数の直交リソースを割り当てるための方法を説明する。便宜上、２つの直交リソースが用いられる場合を仮定する。
【０１９３】
以下の説明で、多重アンテナポート伝送のためにさらに必要とされるリソース（セット）は、端末の能力を考慮して割り当てられたり、端末の実際伝送モードを考慮して割り当てられるとよい。例えば、端末が多重アンテナポート伝送を支援する場合に、基地局は端末に、単一アンテナポート伝送のための第１のリソース（セット）と共に、多重アンテナポート伝送のための第２のリソース（セット）をあらかじめ割り当てておくことができる。その後、端末は、単一アンテナポート伝送モードで動作する場合には第１のリソース（セット）を用い、多重アンテナポート伝送モードで動作する場合には第１のリソース（セット）及び第２のリソース（セット）を用いることができる。また、基地局は、端末の現在伝送モードを考慮して多重アンテナポート伝送のための第２のリソース（セット）を割り当ててもよい。例えば、基地局は端末に多重アンテナポート伝送モードで動作するように指示した後に、該端末のための第２のリソース（セット）を割り当てることができる。すなわち、端末は、第１のリソース（セット）を割り当てられた状態で、多重アンテナポート伝送モードに設定された後に限って、第２のリソース（セット）をさらに割り当てられてる。
【０１９４】
例えば、端末は、アンテナポートp0のための複数のＰＵＣＣＨリソースを指示する割当情報を基本的に受信し、多重アンテナポート伝送が可能である、または、多重アンテナポート伝送モードが設定された場合にのみ、アンテナポートp1のための複数のＰＵＣＣＨリソースを指示する割当情報をさらに受信することができる。
【０１９５】
【表６４】
2013534098.tif 000082
【０１９６】
多重アンテナポート伝送モードの場合、一つのＡＲＩが複数のＰＵＣＣＨリソース値を指示するのに用いられる。ＡＲＩにより指示された複数のＰＵＣＣＨリソース値はそれぞれ、該当のアンテナポートのためのＰＵＣＣＨリソースにマッピングされる。そのため、アンテナポート伝送モードが単一アンテナポートモードか、または多重アンテナポートモードかによって、ＡＲＩは一つまたは複数のＰＵＣＣＨリソース値を指示することができる。表１７に、上述の方案を例示する。
【０１９７】
【表６５】
2013534098.tif 000083
【０１９８】
【表６６】
2013534098.tif 000084
【０１９９】
【表６７】
2013534098.tif 000085
【０２００】
これに制限されるわけではないが、上述したように、端末はアンテナポートp0のための複数のＰＵＣＣＨリソースを指示する割当情報を基本的に受信し、多重アンテナポート伝送が可能である、または、多重アンテナポート伝送モードが設定された場合にのみ、アンテナポートp1のための複数のＰＵＣＣＨリソースを指示する割当情報をさらに受信することができる。
【０２０１】
【表６８】
2013534098.tif 000086
【０２０２】
【表６９】
2013534098.tif 000087
【０２０３】
【表７０】
2013534098.tif 000088
【０２０４】
表１７〜１９は、多重アンテナポートのためのＰＵＣＣＨリソース値の割当のうち、p＝p0部分が、単一アンテナポートの場合と同一に構成された場合を例示する。すなわち、表１７〜１９は、入れ子（ｎｅｓｔｅｄ）構造を仮定する。そのため、一つの共通テーブルにより単一／多重アンテナポート伝送の両方を支援することができる。
【０２０５】
表１８を参照して、入れ子構造についてより具体的に例示する。入れ子構造では一つの共通テーブルを用いることができる。表２０に、単一／多重アンテナポート伝送モードのための共通テーブルを例示する。
【０２０６】
【表７１】
2013534098.tif 000089
【０２０７】
【表７２】
2013534098.tif 000090
【０２０８】
【表７３】
2013534098.tif 000091
【０２０９】
【表７４】
2013534098.tif 000092
【０２１０】
【表７５】
2013534098.tif 000093
【０２１１】
【表７６】
2013534098.tif 000094
【０２１２】
【表７７】
2013534098.tif 000095
【０２１３】
【表７８】
2013534098.tif 000096
【０２１４】
【表７９】
2013534098.tif 000097
【０２１５】
【表８０】
2013534098.tif 000098
【０２１６】
本発明のさらに他の様態として、ＴＤＤ ＣＡの場合にＤＡＩ（Ｄｏｗｎｌｉｎｋ  Ａｓｓｉｇｎｍｅｎｔ  Ｉｎｄｅｘ）フィールドを用いる方法を説明する。ＤＡＩは、スケジューリングされるＰＤＣＣＨを時間ドメインでカウントする値で、ＣＡではセル（あるいは、ＣＣ）ドメインに拡張可能である。ＰＵＣＣＨフォーマット３ではＤＡＩ値を必要とせず、ＤＡＩを本発明の用途に活用することができる。
【０２１７】
一例として、第１のアンテナポート（p＝p0）のためのＰＵＣＣＨフォーマット３リソースはＡＲＩを用いて割当／決定し、第２のアンテナポート（p＝p1）のためのＰＵＣＣＨフォーマット３リソースはＤＡＩを用いて割当／決定することができる。少なくとも一つのサービングセルのＰＤＣＣＨ検出に失敗する場合に備えて、サービングセルのＰＤＣＣＨはいずれもＤＡＩ値を有するように制限することができる。一方、ＰＣｅｌｌでのみＰＤＳＣＨがスケジューリングされた場合、端末は、該ＰＤＳＣＨに対応するＰＣｅｌｌ ＰＤＣＣＨのＤＡＩ値を無視し、単一アンテナポートモードにフォールバックしてＰＵＣＣＨを伝送すればよい。
【０２１８】
【表８１】
2013534098.tif 000099
【０２１９】
表２５に、上述した方案を例示する。
【表８２】
2013534098.tif 000100
【０２２０】
【表８３】
2013534098.tif 000101
【０２２１】
【表８４】
2013534098.tif 000102
【０２２２】
【表８５】
2013534098.tif 000103
【０２２３】
図３４は、本発明の一実施例に適用されうる基地局及び端末を示す図である。無線通信システムにリレーが含まれる場合に、バックホールリンクで通信は基地局とリレー間に行われ、アクセスリンクで通信はリレーと端末間に行われる。そのため、同図の基地局または端末は、状況に応じてリレーに代えてもよい。
【０２２４】
図３４を参照すると、無線通信システムは、基地局（ＢＳ）１１０及び端末（ＵＥ）１２０を含む。基地局１１０は、プロセッサ１１２、メモリー１１４及び無線周波数（Ｒａｄｉｏ  Ｆｒｅｑｕｅｎｃｙ：ＲＦ）ユニット１１６を含む。プロセッサ１１２は、本発明で提案した手順及び／または方法を具現するように構成することができる。メモリー１１４は、プロセッサ１１２に接続し、プロセッサ１１２の動作と関連した様々な情報を記憶する。ＲＦユニット１１６は、プロセッサ１１２に接続し、無線信号を送信及び／または受信する。端末１２０は、プロセッサ１２２、メモリー１２４及びＲＦユニット１２６を含む。プロセッサ１２２は、本発明で提案した手順及び／または方法を具現するように構成することができる。メモリー１２４は、プロセッサ１２２に接続し、プロセッサ１２２の動作と関連した様々な情報を記憶する。ＲＦユニット１２６は、プロセッサ１２２に接続し、無線信号を送信及び／または受信する。基地局１１０及び／または端末１１０は、単一アンテナまたは多重アンテナを有することができる。
【０２２５】
以上説明してきた実施例は、本発明の構成要素及び特徴を所定形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することもできる。本発明の実施例で説明される動作の順序は変更可能である。ある実施例の一部構成や特徴は、別の実施例に含まれることもでき、別の実施例の対応する構成または特徴に取って代わることもできる。特許請求の範囲において明示的な引用関係にない請求項を結合して実施例を構成したり、出願後の補正により新しい請求項として含めたりすることができることは明らかである。
【０２２６】
本文書で、本発明の実施例は、端末と基地局間のデータ送受信関係を中心に説明されている。このような送受信関係は、端末とリレー間、または基地局とリレー間の信号送受信にも同一／類似に拡張される。本文書で基地局により行われるとした特定動作は、場合によっては、その上位ノード（ｕｐｐｅｒ  ｎｏｄｅ）により行われてもよい。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の別のネットワークノードにより実行できることは明らかである。基地局は、固定局（ｆｉｘｅｄ  ｓｔａｔｉｏｎ）、Ｎｏｄｅ Ｂ、ｅＮｏｄｅ Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０２２７】
本発明による実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０２２８】
ファームウェアやソフトウェアによる具現の場合、本発明の一実施例は、以上で説明された機能または動作を行うモジュール、手順、関数などの形態で具現することができる。ソフトウェアコードは、メモリユニットに記憶されて、プロセッサにより駆動されるようにすることができる。メモリユニットは、プロセッサの内部または外部に設けられ、既に公知の様々な手段によりプロセッサとデータを交換することができる。
【０２２９】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【産業上の利用可能性】
【０２３０】
本発明は、無線移動通信システムにおける端末機、基地局、またはその他の装備に適用可能である。特に、本発明は、アップリンク制御情報を伝送する方法及びそのための装置に適用可能である。
【図１】
2013534098.tif 000111
【図２】
2013534098.tif 000112
【図３Ａ】
2013534098.tif 000113
【図３Ｂ】
2013534098.tif 000114
【図４】
2013534098.tif 000115
【図５】
2013534098.tif 000116
【図６】
2013534098.tif 000117
【図７】
2013534098.tif 000118
【図８】
2013534098.tif 000119
【図９】
2013534098.tif 000120
【図１０】
2013534098.tif 000121
【図１１】
2013534098.tif 000122
【図１２Ａ】
2013534098.tif 000123
【図１２Ｂ】
2013534098.tif 000124
【図１３】
2013534098.tif 000125
【図１４】
2013534098.tif 000126
【図１５】
2013534098.tif 000127
【図１６】
2013534098.tif 000128
【図１７】
2013534098.tif 000129
【図１８】
2013534098.tif 000130
【図１９】
2013534098.tif 000131
【図２０】
2013534098.tif 000132
【図２１】
2013534098.tif 000133
【図２２】
2013534098.tif 000134
【図２３】
2013534098.tif 000135
【図２４】
2013534098.tif 000136
【図２５】
2013534098.tif 000137
【図２６】
2013534098.tif 000138
【図２７】
2013534098.tif 000139
【図２８】
2013534098.tif 000140
【図２９Ａ】
2013534098.tif 000141
【図２９Ｂ】
2013534098.tif 000142
【図２９Ｃ】
2013534098.tif 000143
【図２９Ｄ】
2013534098.tif 000144
【図２９Ｅ】
2013534098.tif 000145
【図２９Ｆ】
2013534098.tif 000146
【図３０】
2013534098.tif 000147
【図３１】
2013534098.tif 000148
【図３２】
2013534098.tif 000149
【図３３】
2013534098.tif 000150
【図３４】
2013534098.tif 000151
【国際調査報告】
2013534098.tif 000152
2013534098.tif 000153
2013534098.tif 000154
2013534098.tif 000155